(57)【要約】【課題】本発明は、ユーザにとって関心のある広告コンテンツを所定の記録媒体に対して容易に記録できるようにする。【解決手段】ディスク状記録媒体７に対して個人の作成したパーソナルコンテンツＤ１、Ｄ２、Ｄ３を記録する際、パーソナルコンテンツＤ１、Ｄ２、Ｄ３の内容を解析することによりメタデータＤ１Ｂ、Ｄ２Ｂ、Ｄ３Ｂを生成し、メタデータＤ１Ｂ、Ｄ２Ｂ、Ｄ３Ｂに応じた広告コンテンツＰＣ１、ＰＣ２、ＰＣ３、……、をＣＭ提供サーバ４〜６から取得し、ディスク記録再生部２４を介してパーソナルコンテンツＤ１、Ｄ２、Ｄ３及び広告コンテンツＰＣ１、ＰＣ２、ＰＣ３、……をディスク状記録媒体７に記録させる。【選択図】図３
2011029696.tif 000002
【特許請求の範囲】
【請求項１】
所定の記録媒体に対して個人の作成したパーソナルコンテンツを記録する記録手段と、
上記パーソナルコンテンツの内容を解析することにより当該パーソナルコンテンツに対するメタデータを生成するメタデータ生成手段と、
上記メタデータに応じた広告コンテンツを所定の広告コンテンツ提供サーバから取得する広告コンテンツ取得手段と、
上記記録手段を介して上記パーソナルコンテンツ及び上記広告コンテンツを上記記録媒体に対して記録させる制御手段と
を具える情報処理装置。
【請求項２】
上記制御手段は、上記記録媒体に対して上記パーソナルコンテンツを記録した後の空き容量に合わせて上記広告コンテンツを記録する
請求項１に記載の情報処理装置。
【請求項３】
上記制御手段は、上記ディスク状記録媒体の再生時に、所定デザインのフレーム枠に対して上記パーソナルコンテンツ及び上記広告コンテンツのサムネイル画像を挿入することによりメニュー画面を生成する際の上記フレーム枠についても上記記録媒体に対して記録する
請求項２に記載の情報処理装置。
【請求項４】
上記制御手段は、上記メニュー画面に加えて、上記パーソナルコンテンツ及び上記広告コンテンツを再生するためのユーザにより予め設定されたシナリオについても上記記録媒体に対して記録する
請求項３に記載の情報処理装置。
【請求項５】
上記制御手段は、上記パーソナルコンテンツの映像と上記広告コンテンツの広告音声とを組み合わせて再生するための上記シナリオに従い、上記パーソナルコンテンツ及び上記広告コンテンツを再生する
請求項４に記載の情報処理装置。
【請求項６】
上記制御手段は、上記広告コンテンツにおける前半部分の広告映像と、上記パーソナルコンテンツの映像と、上記広告コンテンツにおける後半部分の広告映像とを合体した合成映像と、上記広告コンテンツの広告音声とを組み合わせて再生するための上記シナリオに従い、上記パーソナルコンテンツ及び上記広告コンテンツを再生する
請求項４に記載の情報処理装置。
【請求項７】
上記制御手段は、上記ディスク状記録媒体に記録した上記広告コンテンツに対する最新の広告コンテンツを上記広告コンテンツ提供サーバからダウンロードして提供する
請求項１に記載の情報処理装置。
【請求項８】
所定の記録媒体に対して記録すべき個人の作成したパーソナルコンテンツの内容をメタデータ生成手段によって解析することにより当該パーソナルコンテンツに対するメタデータを生成するメタデータ生成ステップと、
上記メタデータに応じた広告コンテンツを広告コンテンツ取得手段によって所定の広告コンテンツ提供サーバから取得する広告コンテンツ取得ステップと、
制御手段により所定の記録手段を介して上記パーソナルコンテンツ及び上記広告コンテンツを上記記録媒体に対して記録させる制御ステップと
を有する録画方法。
【請求項９】
所定の記録媒体に対して個人の作成したパーソナルコンテンツを記録する記録手段と、
上記パーソナルコンテンツの内容を解析することにより当該パーソナルコンテンツに対するメタデータを生成するメタデータ生成手段と、
上記メタデータに応じた広告コンテンツを所定の広告コンテンツ提供サーバから取得する広告コンテンツ取得手段と、
上記記録手段を介して上記パーソナルコンテンツ及び上記広告コンテンツを上記記録媒体に対して記録させる制御手段と
を具える情報処理装置と、
上記広告コンテンツを複数格納しておく広告コンテンツ記憶手段と、
上記メタデータを受信し、当該メタデータに応じた上記広告コンテンツを検索して上記広告コンテンツ記憶手段から読み出す広告コンテンツ検索手段と、
上記広告コンテンツを上記情報処理装置へ送信する送信手段と
を具える広告コンテンツ提供サーバと
からなる録画システム。
【請求項１０】
所定の記録媒体に対して個人の作成したパーソナルコンテンツを記録する記録手段と、
上記パーソナルコンテンツの内容を解析することにより当該パーソナルコンテンツに対するメタデータを生成するメタデータ生成手段と、
上記メタデータに応じた広告コンテンツを所定の広告コンテンツ提供サーバから取得する広告コンテンツ取得手段と、
上記記録手段を介して上記パーソナルコンテンツ及び上記広告コンテンツを上記記録媒体に対して記録させる記録制御手段と
を具える情報処理装置と、
上記メタデータを受信し、当該メタデータに応じた上記広告コンテンツを保持している上記広告コンテンツ提供サーバを検索する広告コンテンツ提供サーバ検索手段と、
上記メタデータを送信し、当該メタデータに応じた上記広告コンテンツを上記広告コンテンツ提供サーバから受信し、上記情報処理装置へ転送する広告コンテンツ取得手段と
を具える広告コンテンツ取得サーバと、
上記広告コンテンツを複数格納しておく広告コンテンツ記憶手段と、
上記広告コンテンツ取得サーバからメタデータを受信し、当該メタデータに応じた上記広告コンテンツを検索して上記広告コンテンツ記憶手段から読み出す広告コンテンツ検索手段と、
上記広告コンテンツを上記広告コンテンツ取得サーバへ送信する送信手段と
を具える広告コンテンツ提供サーバと
からなる録画システム。
【発明の詳細な説明】
【技術分野】
【０００１】
本発明は、情報処理装置、録画方法及び録画システムに関し、例えばブルーレイディスクレコーダに適用して好適なものである。
【背景技術】
【０００２】
従来、ＤＶＤ(Digital Versatile Disc)の表面に広告内容を示す画像を印字することにより、当該ＤＶＤを広告媒体として使用することが出来るようにした広告掲出支援システムが提案されている（例えば特許文献１）。
【先行技術文献】
【特許文献】
【０００３】
【特許文献１】特開2005-316147公報
【発明の概要】
【発明が解決しようとする課題】
【０００４】
ところで上述の特許文献１に記載された広告掲出支援システムでは、記録媒体であるＤＶＤの表面に広告内容を示す画像を印字することしか出来ないので、面積との関係で印字する画像の数及び大きさが制限されるという問題があった。
【０００５】
また特許文献１の広告掲出支援システムでは、記録媒体に記録された映像コンテンツと広告内容を示す画像との間に何の関係性もないので、ユーザにとってはその広告内容に興味を抱かず、十分な広告効果をあげることが出来ないという問題があった。
【０００６】
本発明は以上の点を考慮してなされたもので、ユーザにとって関心のある広告コンテンツを所定の記録媒体に対して容易に記録し得る情報処理装置、録画方法及び録画システムを提案しようとするものである。
【課題を解決するための手段】
【０００７】
かかる課題を解決するため本発明の情報処理装置においては、所定の記録媒体に対して個人の作成したパーソナルコンテンツを記録する記録手段と、パーソナルコンテンツの内容を解析することにより当該パーソナルコンテンツに対するメタデータを生成するメタデータ生成手段と、メタデータに応じた広告コンテンツを所定のサーバから取得する広告コンテンツ取得手段と、記録手段を介してパーソナルコンテンツ及び広告コンテンツを記録媒体に対して記録させる制御手段とを設けることにより、パーソナルコンテンツの内容に合致した広告コンテンツを自動的に取得して当該パーソナルコンテンツ及び当該広告コンテンツの双方を記録媒体に記録することができる。
【０００８】
また本発明の録画方法においては、所定の記録媒体に対して記録すべき個人の作成したパーソナルコンテンツの内容をメタデータ生成手段によって解析することにより当該パーソナルコンテンツに対するメタデータを生成するメタデータ生成ステップと、メタデータに応じた広告コンテンツを広告コンテンツ取得手段によって所定の広告コンテンツ提供サーバから取得する広告コンテンツ取得ステップと、制御手段により所定の記録手段を介してパーソナルコンテンツ及び広告コンテンツを記録媒体に対して記録させる記録制御ステップとを有することにより、パーソナルコンテンツの内容に合致した広告コンテンツを自動的に取得して当該パーソナルコンテンツ及び当該広告コンテンツの双方を記録媒体に記録することができる。
【０００９】
さらに本発明の録画システムにおいては、所定の記録媒体に対して個人の作成したパーソナルコンテンツを記録する記録手段と、パーソナルコンテンツの内容を解析することにより当該パーソナルコンテンツに対するメタデータを生成するメタデータ生成手段と、メタデータに応じた広告コンテンツを所定の広告コンテンツ提供サーバから取得する広告コンテンツ取得手段と、記録手段を介してパーソナルコンテンツ及び広告コンテンツを記録媒体に対して記録させる記録制御手段とを具える情報処理装置と、広告コンテンツを複数格納しておく広告コンテンツ記憶手段と、メタデータを受信し、当該メタデータに応じた広告コンテンツを検索して広告コンテンツ記憶手段から読み出す広告コンテンツ検索手段と、広告コンテンツを情報処理装置へ送信する送信手段とを具える広告コンテンツ提供サーバとからなるようにしたことにより、パーソナルコンテンツの内容に合致した広告コンテンツを自動的に取得して当該パーソナルコンテンツ及び当該広告コンテンツの双方を記録媒体に記録することができる。
【発明の効果】
【００１０】
本発明によれば、パーソナルコンテンツの内容に合致した広告コンテンツを自動的に取得して当該パーソナルコンテンツ及び当該広告コンテンツの双方を記録媒体に記録することができ、かくしてユーザにとって関心のある広告コンテンツを所定の記録媒体に対して容易に記録し得る情報処理装置、録画方法及び録画システムを実現することができる。
【図面の簡単な説明】
【００１１】
【図１】第１の実施の形態における録画システムの全体構成を示す略線的斜視図である。
【図２】ＢＤレコーダの回路構成を示す略線的ブロック図である。
【図３】制御部による機能ブロック構成を示す略線的ブロック図である。
【図４】メニュー画面の構成を示す略線図である。
【図５】ＣＭ提供サーバの回路構成を示す略線的ブロック図である。
【図６】パーソナルコンテンツ及び広告コンテンツ記録処理手順を示すフローチャートである。
【図７】メニューデザインの種類を示す略線図である。
【図８】シナリオのパターンを示す略線図である。
【図９】広告コンテンツの構成を示す略線図である。
【図１０】他の実施の形態における録画システムの全体構成を示す略線的斜視図である。
【図１１】他の実施の形態におけるパーソナルコンテンツと広告音声とを組み合わせたシナリオのパターン（１）を示す略線図である。
【図１２】他の実施の形態におけるパーソナルコンテンツと広告映像及び広告音声とを組み合わせたシナリオのパターン（２）を示す略線図である。
【図１３】他の実施の形態におけるメニュー画面の構成を示す略線図である。
【発明を実施するための形態】
【００１２】
以下、発明を実施するための形態について説明する。なお、説明は以下の順序で行う。
１．第１の実施の形態
２．他の実施の形態
【００１３】
＜１．第１の実施の形態＞
［１−１．広告コンテンツ録画システムの全体構成］
図１において、１は本発明の第１の実施の形態における録画システムの全体構成を示し、情報処理装置としてのブルーレイディスクレコーダ（以下、これをＢＤレコーダと呼ぶ。）２、当該ＢＤレコーダ２とインターネット３を介して接続された広告コンテンツ提供サーバとしてのＣＭ（コマーシャル）提供サーバ４、５、６とによって構成されている。
【００１４】
このＢＤレコーダ２は、例えばＨＤＭＩ(High Definition Multimedia Interface)ケーブル８Ａを介してデジタルビデオカメラ８が接続されたとき、当該デジタルビデオカメラ８によって撮影されたユーザ個人のパーソナルコンテンツを取り込み、当該パーソナルコンテンツを内蔵のハードディスクドライブに書き込むことが出来るようになされている。
【００１５】
またＢＤレコーダ２は、ディスク状記録媒体７としてブルーレイディスク又はＤＶＤ(Digital Versatile Disc)等を装填し得、デジタルビデオカメラ８から取り込んでハードディスクドライブに格納したパーソナルコンテンツを当該ディスク状記録媒体７に記録し得るようになされている。
【００１６】
なおＢＤレコーダ２は、デジタルビデオカメラ８が接続されたとき、当該デジタルビデオカメラ８によって撮影されたパーソナルコンテンツを取り込み、そのまま当該ディスク状記録媒体７に対して直接記録し得るようにもなされている。
【００１７】
さらにＢＤレコーダ２は、例えばＨＤＭＩケーブル９Ａを介してテレビジョン受像機９と接続され、内蔵のハードディスクドライブに格納したパーソナルコンテンツや、ディスク状記録媒体７に記録したパーソナルコンテンツを読み出して当該テレビジョン受像機９へ出力することにより、パーソナルコンテンツの再生映像を表示し得るようになされている。
【００１８】
ところでＢＤレコーダ２は、着脱自在な外部記憶手段である例えばＵＳＢ(Universal Serial Bus)メモリ１０が装着され得るようになされており、例えばＣＭ提供サーバ４、５又は６からダウンロードした最新の広告コンテンツを当該ＵＳＢメモリ１０に一時的に記憶し、これを所望のタイミングで再生し得るようになされている。
【００１９】
因みに、外部記憶手段としてはＵＳＢメモリ１０に限るものではなく、例えば少なくとも１Ｇ[Byte]以上の記憶容量を有するメモリーカードや、着脱式のハードディスクドライブ等、その他種々の外部記憶手段を用いてもよい。
【００２０】
［１−２．ＢＤレコーダの回路構成］
図２に示すように、ＢＤレコーダ２においてシステムバス３３に接続された制御部２０は、ＣＰＵ(Central Processing Unit)２１、ＲＯＭ(Read Only Memory)２２及びＲＡＭ(Random Access Memory)２３によって構成されている。
【００２１】
制御部２０のＣＰＵ２１は、ＲＯＭ２２から読み出してＲＡＭ２３に立ち上げた基本プログラム及び各種アプリケーションプログラムに従って当該ＢＤレコーダ２としての基本的な処理等を実行するようになされている。
【００２２】
例えば制御部２０のＣＰＵ２１は、リモートコントローラ（以下、これをリモコンと呼ぶ）１９から入力インタフェース３０を介してＴＶ番組のＨＤＤ書込命令を受け取ると、チューナ部２７によりディジタル衛星放送波に対する復調処理、デスクランブル処理及びデコード処理等を施し、その結果得られる映像データを、ハードディスクインタフェース２５を介してハードディスクドライブ２６に記録する。
【００２３】
同様に、制御部２０のＣＰＵ２１は、リモコン１９を介して番組映像のＨＤＤ読出命令を受け取ると、ハードディスクインタフェース２５を介してハードディスクドライブ２６に記録されたＴＶ番組の映像データを読み出し、当該映像データを出力インタフェース３１からテレビジョン受像機９（図１）へ出力する。
【００２４】
また制御部２０のＣＰＵ２１は、リモコン１９から入力インタフェース３０を介して受け取った命令がディスク状記録媒体７に対する録画命令又は再生命令であれば、ディスク記録再生部２４を介してディスク状記録媒体７に対する書込み又は読出しを行う。
【００２５】
さらに制御部２０のＣＰＵ２１は、ＨＤＭＩインタフェース３２を介してデジタルビデオカメラ８（図１）からパーソナルコンテンツを取り込み、ハードディスクインタフェース２５を介してハードディスクドライブ２６に記録したり、或はディスク記録再生部２４によりディスク状記録媒体７に書き込むようになされている。
【００２６】
ここで、ディスク状記録媒体７として、所謂ＢＤ−ＪＡＶＡ（登録商標）アプリケーション（以下、これをＢＤ−Ｊアプリと呼ぶ。）を収録したブルーレイディスクが用いられた場合、制御部２０のＣＰＵ２１は当該ＢＤ−Ｊアプリにより追加コンテンツのダウンロード等のインタラクティブなＢＤ−ＬＩＶＥ機能を実現し得るようになされている。
【００２７】
このＢＤ−Ｊアプリとは、Java（登録商標）言語によって記述されたアプリケーションプログラムであって、インターネット３へ接続することが可能であり、ブルーレイディスクに収録されている広告コンテンツに対応した最新の広告コンテンツをＣＭ提供サーバ４〜６からダウンロードし得るようになされている。
【００２８】
従って制御部２０のＣＰＵ２１は、ＢＤ−Ｊアプリに従って、何時でも当該サイトから最新の広告コンテンツ等をダウンロードし得るようになされており、その際、ＵＳＢインタフェース２９を介して最新の広告コンテンツをＵＳＢメモリ１０に格納するようになされている。
【００２９】
［１−３．パーソナルコンテンツ及び広告コンテンツを取得する機能ブロックの構成］
次に、制御部２０のＣＰＵ２１が、アプリケーションプログラムに従って、ディスク状記録媒体７に記録すべきパーソナルコンテンツ及び広告コンテンツを取得するための機能ブロックを、図３により説明する。
【００３０】
すなわち、データフォーマット処理部４１、パーソナルコンテンツ解析部４２、ＣＭ提供サーバ選択部４３、サムネイル画像生成部４４及びメニュー画面生成部４５については、全て制御部２０のＣＰＵ２１がアプリケーションプログラムに従って生成したソフトウェア機能ブロックである。
【００３１】
データフォーマット処理部４１は、記録対象のディスク状記録媒体７がブルーレイディスクであるのか、或はＤＶＤであるのかによって、そのデータフォーマットが異なるので、デジタルビデオカメラ８から取り込んだパーソナルコンテンツＤ１に対してメディア種別に応じたフォーマット変換処理を行う。
【００３２】
データフォーマット処理部４１は、フォーマット変換処理を行うことによって得られたパーソナルコンテンツＤ１Ａをパーソナルコンテンツ解析部４２、サムネイル画像生成部４４及びハードディスクドライブ２６に構築されたパーソナルコンテンツデータベース２６Ａへ送出する。
【００３３】
パーソナルコンテンツ解析部４２は、パーソナルコンテンツＤ１Ａを所定の方法によって解析することによりメタデータＤ１Ｂを生成し、これをＣＭ提供サーバ選択部４３へ送出するようになされている。
【００３４】
ここでパーソナルコンテンツ解析部４２では、パーソナルコンテンツＤ１Ａを例えばシソーラス解析することにより、当該パーソナルコンテンツＤ１Ａのタイトルと同義語、類義語、関連語、広義後、狭義語等の用語を抽出し、当該タイトル及び当該用語をメタデータＤ１Ｂとして生成し得るようになされている。
【００３５】
またパーソナルコンテンツ解析部４２では、パーソナルコンテンツＤ１Ａを例えば雰囲気解析することにより、音声レベルの間隔や、無音部分の間隔を算出し、タイトル毎の音声レベル変化パターンを抽出し、これをメタデータＤ１Ｂとして生成し得るようになされている。
【００３６】
更にパーソナルコンテンツ解析部４２では、これらのシソーラス解析又は雰囲気解析によってメタデータＤ１Ｂを生成できないときであっても、パーソナルコンテンツＤ１Ａの属性情報（例えば録画日時、データ長、撮影場所等）については常にメタデータＤ１Ｂとして生成し得るようになされている。
【００３７】
このようにパーソナルコンテンツ解析部４２は、パーソナルコンテンツＤ１Ａのタイトル及びシソーラス解析による用語、又はタイトル毎の音声レベル変化パターン、又はパーソナルコンテンツＤ１Ａの録画日時、データ長、撮影場所等の何れかでなるメタデータＤ１ＢをＣＭ提供サーバ選択部４３へ送出する。
【００３８】
ＣＭ提供サーバ選択部４３は、メタデータＤ１Ｂの内容がパーソナルコンテンツＤ１Ａのタイトル及びシソーラス解析による用語である場合、広告コンテンツを取得する対象としてＣＭ提供サーバ４を選択し、当該ＣＭ提供サーバ４に対してメタデータＤ１Ｂを送信する。
【００３９】
またＣＭ提供サーバ選択部４３は、メタデータＤ１Ｂの内容が雰囲気解析によるタイトル毎の音声レベル変化パターンである場合、広告コンテンツを取得する対象としてＣＭ提供サーバ５を選択し、当該ＣＭ提供サーバ５に対してメタデータＤ１Ｂを送信する。
【００４０】
さらにＣＭ提供サーバ選択部４３は、メタデータＤ１Ｂの内容がパーソナルコンテンツＤ２の録画日時、データ長、撮影場所等の属性情報だけの場合、広告コンテンツを取得する対象としてＣＭ提供サーバ６を選択し、当該ＣＭ提供サーバ６に対してメタデータＤ１Ｂを送信する。
【００４１】
このようにＣＭ提供サーバ選択部４３は、メタデータＤ１Ｂの内容に最も相応しいと思われるＣＭ提供サーバ４〜６を選択し、そのＣＭ提供サーバ４〜６へメタデータＤ１Ｂを送信することにより、メタデータＤ１Ｂの内容に最も関連のある広告コンテンツをＣＭ提供サーバ４〜６の何れかから取得するようになされている。
【００４２】
これにより制御部２０は、ＣＭ提供サーバ４〜６の何れかから、メタデータＤ１Ｂの内容に最も関連のある広告コンテンツＰＣ１をネットワークインタフェース２８経由で受け取り、これをハードディスクドライブ２６に構築された広告コンテンツデータベース２６Ｃに格納するようになされている。
【００４３】
一方、サムネイル画像生成部４４は、データフォーマット処理部４１から供給されたパーソナルコンテンツＤ１Ａにおける最初のフレーム画像を用いて、後述するフレーム枠の所定位置に嵌め込むための所定サイズでなるサムネイル画像ＳＧ１を生成する。
【００４４】
そしてサムネイル画像生成部４４は、ハードディスクドライブ２６のパーソナルコンテンツデータベース２６Ａに当該サムネイル画像ＳＧ１と当該パーソナルコンテンツＤ１Ａとを対応付けた状態で格納すると共に、当該サムネイル画像ＳＧ１をメニュー画面生成部４５へ送出する。
【００４５】
なお制御部２０は、同様にして、デジタルビデオカメラ８から次のパーソナルコンテンツＤ２、Ｄ３を順次取り込み、当該パーソナルコンテンツＤ２、Ｄ３に対しても上述した処理を行うようになされている。
【００４６】
これにより制御部２０は、ＣＭ提供サーバ４〜６の何れかから、メタデータＤ２Ｂ、Ｄ３Ｂの内容に最も関連のある広告コンテンツＰＣ２、ＰＣ３、……をネットワークインタフェース２８経由で受け取り、これをハードディスクドライブ２６に構築された広告コンテンツデータベース２６Ｃに格納するようになされている。
【００４７】
ここで、メタデータＤ１Ｂの内容に最も関連のある広告コンテンツＰＣ１、メタデータＤ２Ｂの内容に最も関連のある広告コンテンツＰＣ２、メタデータＤ３Ｂの内容に最も関連のある広告コンテンツＰＣ３が挙げられているが、これに限るものではない。
【００４８】
例えば、メタデータＤ１Ｂの内容に最も関連のあるものとして広告コンテンツＰＣ１、ＰＣ２、メタデータＤ２Ｂの内容に最も関連のあるものとして広告コンテンツＰＣ３、ＰＣ４、ＰＣ５、メタデータＤ３Ｂの内容に最も関連のあるものとして広告コンテンツＰＣ６、ＰＣ７が存在し、これらを全て取得する場合も有り得る。
【００４９】
その後、メニュー画面生成部４５は、デジタルビデオカメラ８から取り込んだパーソナルコンテンツＤ１Ａ、Ｄ２Ａ及びＤ３Ａのディスク状記録媒体７に対するリモコン１９からの記録命令を認識すると、次の処理を行う。
【００５０】
メニュー画面生成部４５は、当該記録命令に従って、パーソナルコンテンツデータベース２６ＡからパーソナルコンテンツＤ１Ａ、Ｄ２Ａ、Ｄ３Ａを読み出し、広告コンテンツデータベース２６Ｃから広告コンテンツＰＣ１、ＰＣ２、ＰＣ３、……、を読み出す。
【００５１】
続いてメニュー画面生成部４５は、ディスク状記録媒体７に記録すべきパーソナルコンテンツＤ１Ａ、Ｄ２Ａ、Ｄ３Ａ及び広告コンテンツＰＣ１、ＰＣ２、ＰＣ３、……、について、当該ディスク状記録媒体７を後から再生したときに最初に表示すべきメニュー画面（後述する）を生成する。
【００５２】
そのためメニュー画面生成部４５は、ハードディスクドライブ２６に構築されているメニュー画面構成データデータベース２６Ｂからメニュー画面を生成する際の種々のデザインでなるフレーム枠等を取得するようになされている。
【００５３】
同時にメニュー画面生成部４５は、ハードディスクドライブ２６に構築されている広告コンテンツデータベース２６Ｃから広告コンテンツＰＣ１、ＰＣ２、ＰＣ３、……、を取得し、その広告コンテンツＰＣ１、ＰＣ２、ＰＣ３、……、における最初のフレーム画像を用いて、フレーム枠の所定位置に嵌め込むための所定サイズでなる広告サムネイル画像ＰＳＧ１、ＰＳＧ２、ＰＳＧ３、……（図示せず）を生成する。
【００５４】
そしてメニュー画面生成部４５は、メニュー画面構成データデータベース２６Ｂから取得したフレーム枠に対して、サムネイル画像生成部４４から供給されたサムネイル画像ＳＧ１、ＳＧ２、ＳＧ３及び広告サムネイル画像ＰＳＧ１、ＰＳＧ２、ＰＳＧ３、……、を嵌め込む。
【００５５】
これによりメニュー画面生成部４５は、図４（Ａ）及び（Ｂ）に示すように、ディスク状記録媒体７を再生する際の最初に表示すべきメニュー画面ＭＧ１又はＭＧ２を生成し得るようになされている。
【００５６】
なお、このメニュー画面ＭＧ１又はＭＧ２は、パーソナルコンテンツＤ１Ａ、Ｄ２Ａ、Ｄ３Ａ及び広告コンテンツＰＣ１、ＰＣ２、ＰＣ３、……、と一緒にディスク状記録媒体７に対して書き込まれるようになされている。
【００５７】
この図４（Ａ）に示したメニュー画面ＭＧ１は、ディスク状記録媒体７がブルーレイディスクであった場合に生成されるものであり、ＢＤ−ＪアプリによるＢＤ−Ｌｉｖｅ機能に対応した画面構成でなるフレーム枠ＦＷ１が用いられている。
【００５８】
すなわちメニュー画面ＭＧ１では、フレーム枠ＦＷ１の左側に設けられた３つの空き領域にパーソナルコンテンツＤ１、Ｄ２、Ｄ３にそれぞれ対応したサムネイル画像ＳＧ１、ＳＧ２、ＳＧ３が嵌め込まれ、その中央の空き領域に広告サムネイル画像ＰＳＧ１が嵌め込まれ、その右側に設けられた７つの空き領域に広告サムネイル画像ＰＳＧ２〜ＰＳＧ８が嵌め込まれている。
【００５９】
また図４（Ｂ）に示したメニュー画面ＭＧ２は、ディスク状記録媒体７がＤＶＤであった場合に生成されるものであり、フレーム枠ＦＷ２の左側に設けられた３つの空き領域にパーソナルコンテンツＤ１、Ｄ２、Ｄ３にそれぞれ対応したサムネイル画像ＳＧ１、ＳＧ２、ＳＧ３が嵌め込まれ、その右側の空き領域に広告サムネイル画像ＰＳＧ９が嵌め込まれている。
【００６０】
なお、メニュー画面ＭＧ２では、フレーム枠ＦＷ２において、広告サムネイル画像ＰＳＧ９の下方にＣＭ再生ボタンＢ１が設けられており、当該ＣＭ再生ボタンＢ１が押下操作された場合、制御部２０は広告サムネイル画像ＰＳＧ９に対応した例えば広告コンテンツＰＣ３を再生してテレビジョン受像機９に表示するようになされている。
【００６１】
最後にメニュー画面生成部４５は、パーソナルコンテンツＤ１Ａ、Ｄ２Ａ及びＤ３Ａのディスク状記録媒体７に対する記録命令をトリガとして、パーソナルコンテンツＤ１Ａ、Ｄ２Ａ、Ｄ３Ａ及び広告コンテンツＰＣ１、ＰＣ２、ＰＣ３、……、と一緒にフレーム枠ＦＷ１又はＦＷ２についてもディスク状記録媒体７に書き込むようになされている。
【００６２】
［１−４．ＣＭ提供サーバの回路構成］
次に、ＣＭ提供サーバ４〜６の回路構成について説明するが、当該ＣＭ提供サーバ４〜６は全て同じ回路構成であるため、ここでは便宜上、ＣＭ提供サーバ４の回路構成についてだけ説明する。
【００６３】
図５に示すように、ＣＭ提供サーバ４においては、システムバス５８に接続された制御部５０は、ＣＰＵ５１、ＲＯＭ５２及びＲＡＭ５３によって構成され、ＲＯＭ５２から読み出してＲＡＭ５３に立ち上げた基本プログラム等に従って広告コンテンツの送信処理等を実行するようになされている。
【００６４】
実際、制御部５０のＣＰＵ５１は、ＢＤレコーダ２からネットワークインタフェース５４を介して受け取ったメタデータＤ１Ｂに基づき、最も関連のある広告コンテンツＰＣ１をハードディスクインタフェース５５経由でハードディスクドライブ５６から読み出し、これをネットワークインタフェース５４経由でＢＤレコーダ２へ送信する。
【００６５】
同様に制御部５０のＣＰＵ５１は、ＢＤレコーダ２からネットワークインタフェース５４を介して受け取ったメタデータＤ２ＢやＤ３Ｂに基づき、最も関連のある広告コンテンツＰＣ２、ＰＣ３、……、をハードディスクインタフェース５５経由でハードディスクドライブ５６から読み出し、これらをネットワークインタフェース５４経由でＢＤレコーダ２へ送信する。
【００６６】
［１−５．パーソナルコンテンツ及び広告コンテンツ記録処理手順］
続いて、デジタルビデオカメラ８から取り込んだパーソナルコンテンツＤ１、Ｄ２及びＤ３のディスク状記録媒体７に対するリモコン１９からの記録命令に従って、当該パーソナルコンテンツＤ１Ａ、Ｄ２Ａ及びＤ３Ａ及び広告コンテンツＰＣ１、ＰＣ２、ＰＣ３、……、をディスク状記録媒体７に記録するまでの記録処理手順について詳細に説明する。
【００６７】
図６においてＢＤレコーダ２の制御部２０は、ルーチンＲＴ１の開始ステップから入って、次のステップＳＰ１へ移る。
【００６８】
ステップＳＰ１において制御部２０は、ユーザにより選択されたディスク状記録媒体８に記録すべきパーソナルコンテンツＤ１、Ｄ２及びＤ３を認識し、次のステップＳＰ２へ移る。
【００６９】
ステップＳＰ２において制御部２０は、パーソナルコンテンツＤ１、Ｄ２及びＤ３の内容を解析することによりメタデータＤ１Ｂ、Ｄ２Ｂ、Ｄ３Ｂを生成し、次のステップＳＰ３へ移る。
【００７０】
ステップＳＰ３において制御部２０は、パーソナルコンテンツＤ１、Ｄ２、Ｄ３における最初のフレーム画像に基づいてサムネイル画像ＳＧ１、ＳＧ２、ＳＧ３を生成し、次のステップＳＰ４へ移る。
【００７１】
ステップＳＰ４において制御部２０は、メタデータＤ１Ｂ、Ｄ２Ｂ、Ｄ３Ｂに基づいて録画日時を参照し、当該録画日時に応じたメニュー画面ＭＧ１又はＭＧ２を生成するためのメニューデザインを選択し、次のステップＳＰ５へ移る。
【００７２】
ここで制御部２０は、メタデータＤ１Ｂ、Ｄ２Ｂ、Ｄ３Ｂの録画日時が例えば「１２月」であれば、図７（Ａ）に示すような「クリスマス」をイメージさせるメニューデザイン（フレーム枠ＦＷ１又はＦＷ２の背景画像として用いられる）を選択する。
【００７３】
また制御部２０は、メタデータＤ１Ｂ、Ｄ２Ｂ、Ｄ３Ｂの録画日時が例えば「１月」であれば、図７（Ｂ）に示すような「お正月」をイメージさせるメニューデザインを選択する。
【００７４】
同様に制御部２０は、メタデータＤ１Ｂ、Ｄ２Ｂ、Ｄ３Ｂの録画日時が例えば「７月、８月」であれば、図７（Ｃ）に示すような「海」をイメージさせるメニューデザインを選択し、メタデータＤ１Ｂ、Ｄ２Ｂ、Ｄ３Ｂの録画日時が例えば「２月」であれば、図７（Ｄ）に示すような「雪」をイメージさせるメニューデザインを選択する。
【００７５】
ステップＳＰ５において制御部２０は、ディスク状記録媒体７のメディア種別がブルーレイディスクであるか或はＤＶＤであるかに応じて、メニュー画面ＭＧ１又はＭＧ２を生成する際のフレーム枠ＦＷ１又はＦＷ２を選択し、次のステップＳＰ６へ移る。
【００７６】
ここで制御部２０は、図４に示したように、ディスク状記録媒体７のメディア種別がブルーレイディスクである場合にはメニュー画面ＭＧ１を生成するためにフレーム枠ＦＷ１を選択し、メディア種別がＤＶＤである場合にはメニュー画面ＭＧ２を生成するためにフレーム枠ＦＷ２を選択する。
【００７７】
これにより制御部２０は、どのような背景画像を有するフレーム枠ＦＷ１又はＦＷ２をメニュー画面ＭＧ１又はＭＧ２に用いるのかを決定することができる。
【００７８】
ステップＳＰ６において制御部２０は、パーソナルコンテンツＤ１、Ｄ２、Ｄ３をディスク状記録媒体７に全て録画した後の空き容量を計算により算出し、次のステップＳＰ７へ移る。
【００７９】
ステップＳＰ７において制御部２０は、メタデータＤ１Ｂ、Ｄ２Ｂ、Ｄ３Ｂをその内容に応じてＣＭ提供サーバ４〜６の何れかへ送信することにより、当該ＣＭ提供サーバ４〜６からメタデータＤ１Ｂ、Ｄ２Ｂ、Ｄ３Ｂの内容に最も関連のある広告コンテンツＰＣ１、ＰＣ２、ＰＣ３、…、を取得し、次のステップＳＰ８へ移る。
【００８０】
ステップＳＰ８において制御部２０は、ディスク状記録媒体７にパーソナルコンテンツＤ１、Ｄ２、Ｄ３及び広告コンテンツＰＣ１、ＰＣ２、ＰＣ３、…、を録画した後、メニュー画面ＭＧ１又はＭＧ２を介して再生命令が与えられたときに、どのような順番で再生するかのシナリオをユーザからの指示に応じて作成し、次のステップＳＰ９へ移る。
【００８１】
ここで制御部２０は、図８（Ａ）に示すように、例えばパーソナルコンテンツＤ１、広告コンテンツＰＣ１、パーソナルコンテンツＤ２、広告コンテンツＰＣ２、パーソナルコンテンツＤ３、広告コンテンツＰＣ３というようなパーソナルコンテンツＤと広告コンテンツＰＣとを交互に並べた再生順序のシナリオを作成することができる。
【００８２】
また制御部２０は、図８（Ｂ）に示すように、例えば広告コンテンツＰＣ１、広告コンテンツＰＣ２、広告コンテンツＰＣ３、パーソナルコンテンツＤ１、パーソナルコンテンツＤ２、パーソナルコンテンツＤ３というような広告コンテンツＰＣを全て再生した後に、パーソナルコンテンツＤを再生するように並べた再生順序のシナリオを作成することができる。
【００８３】
さらに制御部２０は、図８（Ｃ）に示すように、例えばパーソナルコンテンツＤ１、パーソナルコンテンツＤ２、パーソナルコンテンツＤ３、広告コンテンツＰＣ１、広告コンテンツＰＣ２、広告コンテンツＰＣ３というようなパーソナルコンテンツＤを全て再生した後に、広告コンテンツＰＣを再生するように並べた再生順序のシナリオを作成することができる。
【００８４】
さらに制御部２０は、図８（Ｄ）に示すように、例えば広告コンテンツＰＣ１、パーソナルコンテンツＤ１、広告コンテンツＰＣ２、パーソナルコンテンツＤ２、広告コンテンツＰＣ３、パーソナルコンテンツＤ３というような広告コンテンツＰＣとパーソナルコンテンツＤとを交互に並べた再生順序のシナリオを作成することができる。
【００８５】
なお、例えば図９に示すように、広告コンテンツＰＣ１としては、広告映像ＰＶ１と広告音声ＰＡ１とが一体となって構成されている。
【００８６】
ステップＳＰ９において制御部２０は、パーソナルコンテンツＤ１、パーソナルコンテンツＤ２、パーソナルコンテンツＤ３をディスク状記録媒体７に記録し、次のステップＳＰ１０へ移る。
【００８７】
ステップＳＰ１０において制御部１０は、パーソナルコンテンツＤ１、パーソナルコンテンツＤ２、パーソナルコンテンツＤ３をディスク状記録媒体７に記録した後の空き領域に、広告コンテンツＰＣ１、広告コンテンツＰＣ２、広告コンテンツＰＣ３等を記録し、次のステップＳＰ１１へ移る。
【００８８】
ステップＳＰ１１において制御部１０は、ステップＳＰ４及びＳＰ５で選択した所定のメニューデザインのフレーム枠ＦＷ１又はＦＷ２と、ステップＳＰ８で作成したシナリオとをディスク状記録媒体７の空き領域に記録し、次のステップＳＰ１２へ移って処理を終了する。
【００８９】
［１−６．動作及び効果］
以上の構成において、録画システム１におけるＢＤレコーダ２の制御部２０は、デジタルビデオカメラ８から取り込んだパーソナルコンテンツＤ１、Ｄ２、Ｄ３をディスク状記録媒体に記録する際、自動的にパーソナルコンテンツＤ１、Ｄ２、Ｄ３のメタデータＤ１Ｂ、Ｄ２Ｂ、Ｄ３Ｂを生成する。
【００９０】
そしてＢＤレコーダ２の制御部２０は、メタデータＤ１Ｂ、Ｄ２Ｂ、Ｄ３Ｂの内容に応じて選択したＣＭ提供サーバ４〜６へ当該メタデータＤ１Ｂ、Ｄ２Ｂ、Ｄ３Ｂを送信し、当該ＣＭ提供サーバ４〜６からメタデータＤ１Ｂ、Ｄ２Ｂ、Ｄ３Ｂの内容に最も関連のある現時点における最新の広告コンテンツＰＣ１、ＰＣ２、ＰＣ３、……、を取得する。
【００９１】
その後、ＢＤレコーダ２の制御部２０は、パーソナルコンテンツＤ１、Ｄ２、Ｄ３をディスク状記録媒体７に書き込んだ後、当該ディスク状記録媒体７の空き容量に広告コンテンツＰＣ１、ＰＣ２、ＰＣ３、……、メニュー画面ＭＧ１又はＭＧ２を構成するフレーム枠ＦＷ１又はＦＷ２と再生時に用いられるシナリオを書き込む。
【００９２】
これによりＢＤレコーダ２の制御部２０は、ユーザにとって関心があると予想される広告コンテンツＰＣ１、ＰＣ２、ＰＣ３、……、をパーソナルコンテンツＤ１、Ｄ２、Ｄ３と共にディスク状記録媒体７に盛り込むことができるので、ユーザにとって有意な広告コンテンツＰＣ１、ＰＣ２、ＰＣ３、……、をディスク状記録媒体７の再生時に提供することができ、かくして広告効果の向上を図ることができる。
【００９３】
このときＢＤレコーダ２の制御部２０は、ディスク状記録媒体７の再生時に広告コンテンツＰＣ１、ＰＣ２、ＰＣ３、……、を提供することができるので、ユーザに対してパーソナルコンテンツＤ１、Ｄ２、Ｄ３の時代背景を直感的に知らせることができる。
【００９４】
なおＢＤレコーダ２の制御部２０は、ディスク状記録媒体７がブルーレイディスクであれば、予め記録された広告コンテンツＰＣ１、ＰＣ２、ＰＣ３、……、だけではなく、ＢＤ−ＬＩＶＥ機能を使って、ＣＭ提供サーバ４〜６から最新の広告コンテンツＰＣ１、ＰＣ２、ＰＣ３、……、をダウンロードしてＵＳＢメモリ１０を介して提供することができる。
【００９５】
このときＣＭ提供サーバ４〜６においては、ＢＤレコーダ２へダウンロードした広告コンテンツＰＣ１、ＰＣ２、ＰＣ３、……、のダウンロード回数を把握することができるので、実際の広告効果を広告主側へ正確に報告することもできる。
【００９６】
さらに録画システム１では、ＢＤレコーダ２の制御部２０がパーソナルコンテンツＤ１、Ｄ２、Ｄ３と共に、当該パーソナルコンテンツＤ１、Ｄ２、Ｄ３に関連した広告コンテンツＰＣ１、ＰＣ２、ＰＣ３、……、を自動的にディスク状記録媒体７に記録することができるので、ＢＤレコーダ２のメーカーが得る広告収入分をハードウェア販売価格に反映して下げたり、ディスク状記録媒体７の販売価格に反映して下げることができる。
【００９７】
以上の構成によれば、録画システム１のＢＤレコーダ２は、ユーザのパーソナルコンテンツＤ１、Ｄ２、Ｄ３をディスク状記録媒体７に記録する際、当該パーソナルコンテンツＤ１、Ｄ２、Ｄ３に関連のある広告コンテンツＰＣ１、ＰＣ２、ＰＣ３、……、を自動的に取得し、当該ディスク状記録媒体７の空き容量に記録することができる。
【００９８】
これにより録画システム１のＢＤレコーダ２は、パーソナルコンテンツＤ１、Ｄ２、Ｄ３と、当該パーソナルコンテンツＤ１、Ｄ２、Ｄ３に関連した広告コンテンツＰＣ１、ＰＣ２、ＰＣ３、……、とが収録された記録済みのディスク状記録媒体７を自動的に生成することができる。
【００９９】
＜２．他の実施の形態＞
【０１００】
なお上述した実施の形態においては、ＢＤレコーダ２がメタデータＤ１Ｂ、Ｄ２Ｂ、Ｄ３Ｂに応じてＣＭ提供サーバ４〜６を選択し、その選択したＣＭ提供サーバ４〜６からパーソナルコンテンツＤ１、Ｄ２、Ｄ３に相応しい広告コンテンツＰＣ１、ＰＣ２、ＰＣ３、……、をダウンロードするようにした場合について述べた。
【０１０１】
しかしながら、本発明はこれに限らず、図１との対応部分に同一符号を付した図１０に示すように、専用のＣＭ取得サーバ８０を設けるようにしても良い。この場合、ＣＭ取得サーバ８０は、その基本的構成としてはＣＭ提供サーバ４と同じであるが、ＢＤレコーダ２のＣＭ提供サーバ選択部４３（図３）と同等の機能を持つことにより実現することができる。
【０１０２】
実際上、ＣＭ取得サーバ８０は、ＢＤレコーダ２からメタデータＤ１Ｂ、Ｄ２Ｂ、Ｄ３Ｂを受信し、そのメタデータＤ１Ｂ、Ｄ２Ｂ、Ｄ３Ｂに基づいて相応しい広告コンテンツＰＣ１、ＰＣ２、ＰＣ３、……、を提供しているＣＭ提供サーバ４〜６を検索し、そのＣＭ提供サーバ４〜６へメタデータＤ１Ｂ、Ｄ２Ｂ、Ｄ３Ｂを送信し、そこからそれぞれ受信した広告コンテンツＰＣ１、ＰＣ２、ＰＣ３、……、をＢＤレコーダ２へ転送することができる。
【０１０３】
また上述した実施の形態においては、ＢＤレコーダ２の制御部２０は、図８に示したシナリオに従ってパーソナルコンテンツＤ１、Ｄ２、Ｄ３に相応しい広告コンテンツＰＣ１、ＰＣ２、ＰＣ３、……、を再生するようにした場合について述べた。
【０１０４】
しかしながら、本発明はこれに限らず、ＢＤレコーダ２の制御部２０は、図１１に示すシナリオのパターン（１）に従って、例えばパーソナルコンテンツＤ１の映像部分と、広告コンテンツＰＣ１の広告音声ＰＡ１とを組み合わせて再生出力するようにしても良い。
【０１０５】
この場合、ＢＤレコーダ２の制御部２０は、ユーザ自身が作成したパーソナルコンテンツＤ１の映像と企業の広告音声ＰＡ１とをマッチングした、これまでにない新たなコンテンツを提供することができる。
【０１０６】
これによりＢＤレコーダ２の制御部２０は、あたかも企業のＣＭ映像にユーザ自身が作成したパーソナルコンテンツＤ１の映像が用いられたかのような新たなコンテンツをユーザに対して視認させ、エンタテインメント性を持たせることができる。
【０１０７】
さらに上述した実施の形態においては、ＢＤレコーダ２の制御部２０は、図８に示したシナリオに従ってパーソナルコンテンツＤ１、Ｄ２、Ｄ３に相応しい広告コンテンツＰＣ１、ＰＣ２、ＰＣ３、……、を再生するようにした場合について述べた。
【０１０８】
しかしながら、本発明はこれに限らず、ＢＤレコーダ２の制御部２０は、図１２に示すシナリオのパターン（２）に従って、例えば広告コンテンツＰＣ１における前半部分の広告映像ＰＶ１Ｆと、パーソナルコンテンツＤ１の映像部分と、広告コンテンツＰＣ１における後半部分の広告映像ＰＶ１Ｅとを合体した合成映像ＤＰ１と、広告コンテンツＰＣ１の広告音声ＰＡ１とを組み合わせて再生出力するようにしても良い。
【０１０９】
この場合、ＢＤレコーダ２の制御部２０は、企業の広告映像ＰＶ１Ｆ（例えば商品の名前やロゴを表示した映像）と広告映像ＰＶ１Ｅ（企業ブランド名を表示した映像）との間に、ユーザ自身が作成したパーソナルコンテンツＤ１の映像部分が挟まれ、それが企業の広告音声ＰＡ１とをマッチングした、これまでにない新たなコンテンツを提供することができる。
【０１１０】
これによりＢＤレコーダ２の制御部２０は、あたかも企業のＣＭ映像にユーザ自身が作成したパーソナルコンテンツＤ１の映像が用いられたかのような新たなコンテンツをユーザに対して視認させ、エンタテインメント性を持たせることができる。
【０１１１】
ここでＢＤレコーダ２の制御部２０は、広告コンテンツＰＣ１を取得する際に用いたメタデータＤ１Ｂに基づいて、当該メタデータＤ１Ｂを生成したときの元となるパーソナルコンテンツＤ１を探し出し、開始時間及び終了時間を指定することにより、広告コンテンツＰＣ１と合体すべきパーソナルコンテンツＤ１の映像部分を取り出して用いるようになされている。
【０１１２】
さらに上述した実施の形態においては、ＢＤレコーダ２の制御部２０は、図８に示したシナリオに従ってパーソナルコンテンツＤ１、Ｄ２、Ｄ３に相応しい広告コンテンツＰＣ１、ＰＣ２、ＰＣ３、……、を再生するようにした場合について述べた。
【０１１３】
しかしながら、本発明はこれに限らず、複数の広告コンテンツＰＣ１、ＰＣ２、ＰＣ３、……、だけを一括して視聴するための広告ボタン（図示せず）をメニュー画面ＭＧ１に設け、その広告ボタンが押下操作されたときに、複数の広告コンテンツＰＣ１、ＰＣ２、ＰＣ３、……、だけを一括して再生出力するようにしても良い。
【０１１４】
さらに上述した実施の形態においては、図４（Ｂ）に示したようなメニュー画面ＭＧ２のフレーム枠ＦＷ２を用いるようにした場合について述べた。しかしながら、本発明はこれに限らず、ＢＤレコーダ２の制御部２０は、図１３に示すように、パーソナルコンテンツＤ１、Ｄ２、Ｄ３に対応したサムネイル画像ＳＧ１、ＳＧ２、ＳＧ３の間に、広告コンテンツＰＣ１、ＰＣ２の広告サムネイル画像ＰＳＧ２、ＰＳＧ３を表示するようになされたメニュー画面ＭＧ２Ｚのフレーム枠ＦＷ３を用いるようにしても良い。
【０１１５】
この場合、ＢＤレコーダ２の制御部２０は、ディスク状記録媒体７がＤＶＤの場合、プログラムチェーンにより、メニュー画面ＭＧ２Ｚに並べられたサムネイル画像ＳＧ１、広告サムネイル画像ＰＳＧ２、サムネイル画像ＰＳＧ２、広告サムネイル画像ＰＳＧ３、サムネイル画像ＳＧ３の順番で、パーソナルコンテンツＤ１、広告コンテンツＰＣ１、パーソナルコンテンツＤ２、広告コンテンツＰＣ２、パーソナルコンテンツＤ３を再生出力することができる。
【０１１６】
さらに上述した実施の形態においては、パーソナルコンテンツＤ１、Ｄ２、Ｄ３を作成する電子機器としてデジタルビデオカメラ８を用いるようにした場合について述べたが、本発明はこれに限らず、カメラ機能を有する携帯電話機、ノートブック型パーソナルコンピュータ、ゲーム機等のその他種々の電子機器を用いるようにしても良い。
【０１１７】
さらに上述した実施の形態においては、パーソナルコンテンツをディスク状記録媒体７に録画するのにＢＤレコーダ２を用いるようにした場合について述べたが、本発明はこれに限らず、録画機能付きのテレビジョン受像機やパーソナルコンピュータ等のその他種々の電子機器を用いるようにしても良い。
【０１１８】
さらに上述した実施の形態においては、記録手段としての制御部２０、ディスク記録再生部２４、メタデータ生成手段としてのパーソナルコンテンツ解析部４２、広告コンテンツ取得手段としての制御部２０、ＣＭ提供サーバ選択部４３、制御手段としての制御部２０、ディスク記録再生部２４によって、本発明の情報処理装置としてのＢＤレコーダ２を構成するようにした場合について述べた。
【０１１９】
しかしながら、本発明はこれに限らず、その他種々の構成でなる記録手段、メタデータ生成手段、広告コンテンツ取得手段及び制御手段により本発明の情報処理装置を構成するようにしても良い。
【０１２０】
さらに上述した実施の形態においては、広告コンテンツ記憶手段としてのハードディスクドライブ５６、広告コンテンツ検索手段としての制御部５０、送信手段としての制御部５０、ネットワークインタフェース５４によって、本発明の広告コンテンツ提供サーバとしてのＣＭ提供サーバ４〜６を構成するようにした場合について述べた。
【０１２１】
しかしながら、本発明はこれに限らず、その他種々の構成でなる広告コンテンツ記憶手段、広告コンテンツ検索手段及び送信手段により本発明の広告コンテンツ提供サーバを構成するようにしても良い。
【０１２２】
さらに上述した実施の形態においては、広告コンテンツ提供サーバ検索手段としての制御部５０、広告コンテンツ取得手段としての制御部５０、ネットワークインタフェース５４によって、本発明の広告コンテンツ取得サーバとしてのＣＭ取得サーバ８０（図１０）を構成するようにした場合について述べた。
【０１２３】
しかしながら、本発明はこれに限らず、その他種々の構成でなる広告コンテンツ提供サーバ検索手段及び広告コンテンツ取得手段により本発明の広告コンテンツ取得サーバを構成するようにしても良い。
【産業上の利用可能性】
【０１２４】
本発明の情報処理装置、録画方法及び録画システムは、監視カメラ等により撮影されたコンテンツをメディアに記録するシステムにおいても適用することができる。
【符号の説明】
【０１２５】
１、１００……録画システム、２……ＢＤレコーダ、３……インターネット、４〜６……ＣＭ提供サーバ、７……ディスク状記録媒体、８……デジタルビデオカメラ、９……テレビジョン受像機、１０……ＵＳＢメモリ、２０、５０……制御部、２１、５１……ＣＰＵ、２２、５２……ＲＯＭ、２３、５３……ＲＡＭ、２４……ディスク記録再生部、２５、５５……ハードディスクインタフェース、２６、５６……ハードディスクドライブ、２７……チューナ部、２８、５４……ネットワークインタフェース、２９……ＵＳＢインタフェース、３０……入力インタフェース、３１……出力インタフェース、３２……ＨＤＭＩインタフェース、３３、５８……バス、４１……データフォーマット処理部、４２……パーソナルコンテンツ解析部、４３……ＣＭ提供サーバ選択部、４４……サムネイル画像生成部、４５……メニュー画面生成部、８０……ＣＭ取得サーバ。
【図１】
2011029696.tif 000003
【図２】
2011029696.tif 000004
【図３】
2011029696.tif 000005
【図４】
2011029696.tif 000006
【図５】
2011029696.tif 000007
【図６】
2011029696.tif 000008
【図７】
2011029696.tif 000009
【図８】
2011029696.tif 000010
【図９】
2011029696.tif 000011
【図１０】
2011029696.tif 000012
【図１１】
2011029696.tif 000013
【図１２】
2011029696.tif 000014
【図１３】
2011029696.tif 000015